(57)【要約】【課題】外部記憶媒体からのリストア処理の簡略化を図る。【解決手段】外部記憶媒体を用いて設定情報のバックアップおよびリストアが可能な画像形成装置１において、設定情報を所定のデータグループ単位で外部記憶媒体４にバックアップデータとして複製するバックアップ手段５と、外部記憶媒体４に複製されたバックアップデータをデータグループ単位で画像形成装置１に復元するリストア手段６と、を有し、かつ、外部記憶媒体４は、リストア手段６による復元が異常終了したか否かを示す異常終了フラグを有し、リストア手段６は、異常終了フラグに基づいて復元が異常終了したと判断した場合、外部記憶媒体４内のバックアップデータについてデータグループごとに正常性を判断し、該判断結果に基づいて画像形成装置１への復元を行う。【選択図】図１
2012113382.tif 000002
【特許請求の範囲】
【請求項１】
外部記憶媒体を用いて設定情報のバックアップおよびリストアが可能な画像形成装置において、
前記設定情報を所定のデータグループ単位で前記外部記憶媒体にバックアップデータとして複製するバックアップ手段と、
前記外部記憶媒体に複製された前記バックアップデータを前記データグループ単位で画像形成装置に復元するリストア手段と、を有し、
かつ、前記外部記憶媒体は、前記リストア手段による復元が異常終了したか否かを示す異常終了情報を有し、
前記リストア手段は、前記異常終了情報に基づいて復元が異常終了したと判断した場合、前記外部記憶媒体内の前記バックアップデータについて前記データグループごとに正常性を判断し、該判断結果に基づいて画像形成装置への復元を行うことを特徴とする画像形成装置。
【請求項２】
正常と判断された正常データグループを選択可能に表示する表示手段を有し、
前記リストア手段は、選択された正常データグループを画像形成装置に復元することを特徴とする請求項１に記載の画像形成装置。
【請求項３】
正常と判断された正常データグループを選択可能に表示する表示手段を有し、
前記リストア手段は、選択された正常データグループに基づいてバックアップデータを再構築し、該再構築されたバックアップデータにより前記外部記憶媒体内の前記バックアップデータを更新することを特徴とする請求項１に記載の画像形成装置。
【請求項４】
前記リストア手段は、正常と判断された正常データグループと、正常でないと判断された破損データグループに相当する設定情報の初期値と、に基づいてバックアップデータを再構築し、該再構築されたバックアップデータにより前記外部記憶媒体内の前記バックアップデータを更新することを特徴とする請求項１に記載の画像形成装置。
【請求項５】
前記バックアップ手段は、前記外部記憶媒体内の前記バックアップデータを複製して二重化バックアップデータとして前記外部記憶媒体に記憶させ、
前記リストア手段は、前記二重化バックアップデータを用いて前記バックアップデータを復元して、該バックアップデータを用いて前記外部記憶媒体内の前記バックアップデータを更新することを特徴とする請求項１に記載の画像形成装置。
【発明の詳細な説明】
【技術分野】
【０００１】
本発明は、画像形成装置に関する。さらに詳述すると、外部記憶媒体への設定情報のバックアップ、および外部記憶媒体からの設定情報のリストアを行う画像形成装置に関する。
【０００２】
（技術用語）
本明細書において、「バックアップ」とは、コンピュータ（画像形成装置を含む）で扱うデータやプログラムの破壊、紛失、盗難に備え、あらかじめ複製をとっておくことをいう。
また、「リストア」とは、不具合が生じたコンピュータのファイルやディスクを修復、復元すること。また、バックアップをしたデータをコンピュータに戻して、元の状態にすることをいう。
【背景技術】
【０００３】
プリンタ、ファクシミリ、複写装置、これらの複合機等の画像形成装置として、例えば、液体吐出ヘッドで構成した記録ヘッドを含む装置を用いて、記録媒体（以下、用紙ともいうが材質を限定するものではなく、被記録媒体、記録用紙、転写材、記録紙なども同義で使用する）を搬送しながら、液体としてのインクを用紙に付着させて画像形成（記録、印刷、印写、印字も同義語で用いる）を行なう、いわゆるインクジェット方式の画像形成装置が知られている。
【０００４】
また、例えば、像担持体である感光ドラムの表面に静電潜像を形成し、感光ドラム上の静電潜像を現像剤であるトナー等によって現像して可視像化し、現像された画像を転写装置により記録紙に転写して画像を担持させ、圧力や熱等を用いる定着装置によって記録紙上のトナー画像を定着する電子写真方式の画像形成装置が知られている。
【０００５】
このような画像形成装置において、当該装置についての機器設定値やアドレス帳等の設定情報を、ＳＤカードやＵＳＢメモリなどの外部記憶媒体にバックアップし、画像形成装置の故障時等に、バックアップしておいた機器設定値やアドレス帳等を、故障等が発生していない他の画像形成装置にリストアすることで、効率よく画像形成装置の機器設定環境を復旧させるという技術が知られている。
【０００６】
この技術に関して、例えば、特許文献１には、画像形成装置の設定情報とともに、設定項目毎に異なる機種間で共通の設定項目かどうか、同じ機種の異なる機器間で共通の設定項目かどうか、及び異なる機器間で共有不可の設定項目かどうかの付加情報を可搬性記憶媒体に書き込む可搬性記憶媒体書き込み手段を備え、この付加情報により、バックアップされた設定情報を、機種の違いを考慮しつつ、他の画像形成装置にリストアすることが可能な技術が開示されている。
【発明の概要】
【発明が解決しようとする課題】
【０００７】
しかしながら、特許文献１のような従来の外部記憶媒体により機器設定値やアドレス帳等をリストアする装置では、リストア動作中に、外部記憶媒体が抜かれる、または、電源断等が発生すると、外部記憶媒体にバックアップされるデータが破損することがあり、このような外部記憶媒体を用いて、次回以降、正常なリストアができなくなるという問題が生じていた。
【０００８】
そこで本発明は、外部記憶媒体を介して、装置の設定情報をバックアップおよびリストアする画像形成装置において、リストア処理中にバックアップデータに破損が生じた場合でも、外部記憶媒体に保存されたバックアップデータを可能な限り再利用することにより、ユーザが、再度、バックアップデータが保存されている他の外部記憶媒体を用意する作業等を省き、リストア処理の短時間化、簡略化を図ることができる画像形成装置を提供することを目的とする。
【課題を解決するための手段】
【０００９】
かかる目的を達成するため、請求項１に記載の画像形成装置は、外部記憶媒体を用いて設定情報のバックアップおよびリストアが可能な画像形成装置において、設定情報を所定のデータグループ単位で外部記憶媒体にバックアップデータとして複製するバックアップ手段と、外部記憶媒体に複製されたバックアップデータをデータグループ単位で画像形成装置に復元するリストア手段と、を有し、かつ、外部記憶媒体は、リストア手段による復元が異常終了したか否かを示す異常終了情報を有し、リストア手段は、異常終了情報に基づいて復元が異常終了したと判断した場合、外部記憶媒体内のバックアップデータについてデータグループごとに正常性を判断し、該判断結果に基づいて画像形成装置への復元を行うものである。
【００１０】
また、請求項２に記載の発明は、請求項１に記載の画像形成装置において、正常と判断された正常データグループを選択可能に表示する表示手段を有し、リストア手段は、選択された正常データグループを画像形成装置に復元するものである。
【００１１】
また、請求項３に記載の発明は、請求項１に記載の画像形成装置において、正常と判断された正常データグループを選択可能に表示する表示手段を有し、リストア手段は、選択された正常データグループに基づいてバックアップデータを再構築し、該再構築されたバックアップデータにより外部記憶媒体内のバックアップデータを更新するものである。
【００１２】
また、請求項４に記載の発明は、請求項１に記載の画像形成装置において、リストア手段は、正常と判断された正常データグループと、正常でないと判断された破損データグループに相当する設定情報の初期値と、に基づいてバックアップデータを再構築し、該再構築されたバックアップデータにより外部記憶媒体内のバックアップデータを更新するものである。
【００１３】
また、請求項５に記載の発明は、請求項１に記載の画像形成装置において、バックアップ手段は、外部記憶媒体内のバックアップデータを複製して二重化バックアップデータとして外部記憶媒体に記憶させ、リストア手段は、二重化バックアップデータを用いてバックアップデータを復元して、該バックアップデータを用いて外部記憶媒体内のバックアップデータを更新するものである。
【発明の効果】
【００１４】
本発明によれば、外部記憶媒体を用いた設定情報のリストア処理の簡略化を図ることができる。
【図面の簡単な説明】
【００１５】
【図１】本発明に係る画像形成装置の一実施形態である印刷装置を示す機能ブロック図である。
【図２】第１のリストア処理を示すフローチャートである。
【図３】第２のリストア処理を示すフローチャートである。
【図４】第３のリストア処理を示すフローチャートである。
【図５】第４のリストア処理を示すフローチャートである。
【発明を実施するための形態】
【００１６】
以下、本発明に係る構成を図１から図５に示す実施の形態に基づいて詳細に説明する。本実施形態に係る画像形成装置（印刷装置１）は、外部記憶媒体（４）を用いて設定情報のバックアップおよびリストアが可能な画像形成装置において、設定情報を所定のデータグループ単位で外部記憶媒体にバックアップデータとして複製するバックアップ手段（５）と、外部記憶媒体に複製されたバックアップデータをデータグループ単位で画像形成装置に復元するリストア手段（６）と、を有し、かつ、外部記憶媒体は、リストア手段による復元が異常終了したか否かを示す異常終了情報（異常終了フラグ）を有し、リストア手段は、異常終了情報に基づいて復元が異常終了したと判断した場合、外部記憶媒体内のバックアップデータについてデータグループごとに正常性を判断し、該判断結果に基づいて画像形成装置への復元を行うものである。なお、「設定情報」とは、機器設定値に限られるものではなく、アドレス帳等の各種データ、バックアップに関する付属情報等を含むものである。
【００１７】
より詳しくは、例えば、リストア処理時に、前回のリストア処理において処理が中断（異常終了）されたと判断した場合は、外部記憶媒体に保存されているバックアップデータに対し、各グループ単位でのデータの破損状況を判断し、グループ単位でのデータの正常性を判断する。さらに、正常と判断されたデータをユーザに選択可能に表示し、そのうちユーザに指定されたデータに基づいてリストアするものである。また、外部記憶媒体内のバックアップデータを再構築して、この再構築されたバックアップデータに基づいて、リストアするものであっても良い。
【００１８】
また、破損していると判断されたグループのデータについて、装置の初期値等を用いて、外部記憶媒体のバックアップデータを再構築し、この再構築されたバックアップデータに基づいて、リストアするものであっても良い。さらに、外部記憶装置のバックアップデータについて、二重化してバックアップしておき、二重化されたバックアップデータに基づいて、外部記憶媒体のバックアップデータを再構築し、この再構築されたバックアップデータに基づいて、リストアするものであっても良い。
【００１９】
（画像形成装置の構成・動作）
本発明に係る画像形成装置の一実施形態である印刷装置１の概略構成を示す機能ブロック図を図１に示す。図１に示すように、印刷装置１は、脱着不可の不揮発性記憶手段である内部記憶手段２、外部記憶媒体インターフェイス（ＩＦ）部３、脱着可能な不揮発性記憶手段である外部記憶媒体４、コントローラ部７内に構成されるバックアップ手段５およびリストア手段６、ホストインターフェイス（ＩＦ）部８、操作パネル９、ＲＯＭ１０、ＲＡＭ１１、印刷エンジン（Plotter Engine）１２等を有し、ホストＩＦ部８を介して、パーソナルコンピュータ等のホスト計算機１３と接続されている。
【００２０】
内部記憶手段２は、例えば、ハードディスクドライブやＥＥＰＲＯＭ、ＮＶＲＡＭ等であり、また、外部記憶媒体４とそのＩＦ部３は、ＩＣ−Ｃａｒｄ装置、ＵＳＢメモリ、ＳＤカード装置等である。
【００２１】
印刷装置１の動作について説明する。先ず、ユーザは、外字やフォーム等のデータを印刷装置１に登録する場合、ホスト計算機１３からホストＩＦ８を介してデータを印刷装置１に送信する。これを受けた印刷装置１は、受信データを内部記憶手段２内に保持する。
【００２２】
また、ユーザは、印刷装置１内の内部記憶手段２内に保持されている機器設定値等のデータを保存したい場合は、外部記憶媒体（例えば、ＵＳＢメモリ、ＳＤカード等）４を、印刷装置１が有する記憶媒体ＩＦ部（例えば、ＵＳＢポート、ＳＤカードスロット等）３に装着して、ホスト計算機１３または印刷装置の操作パネル９等を介して、その旨の指示を与えることができる。
【００２３】
上記指示を受けた印刷装置１は、コントローラ部７上で動作するバックアップ手段５が呼び出されて以下の処理が実行される。
【００２４】
バックアップ手段５は、内部記憶手段２内に保持されている機器設定値等のデータを読み取り、記憶媒体ＩＦ部３を介して脱着可能な不揮発の記憶媒体４に、バックアップデータとして書き込む（複製する）。また、ユーザが、以前に外部記憶媒体４に保存したバックアップデータを、内部記憶手段２内に復元する場合は、以前にデータを保存しておいた外部記憶媒体４を記憶媒体ＩＦ部３に装着して、ホスト計算機１３または印刷装置の操作パネル９等を介して、その旨の指示を与えることができる。
【００２５】
上記指示を受けた印刷装置１は、コントローラ部７上で動作するリストア手段６が呼び出されて以下の処理が実行される。
【００２６】
リストア手段６は、バックアップ手段５により外部記憶媒体４内に書き込まれ保存されているバックアップデータを、外部記憶媒体ＩＦ部３を介して読み込んで、それを内部記憶手段２に復元させる。
【００２７】
ここで、バックアップ手段５は、外部記憶媒体４に対して、画像形成装置の機器設定値を、所定のまとまりを持ったグループ単位として複製することが可能であり、リストア手段６は、バックアップデータをグループ単位で復元することが可能である。
【００２８】
また、リストア手段６は、外部記憶媒体４に対するリストア処理の開始時に記憶し（オンにして）、リストア処理が正常に完了した場合に消去する（オフにする）異常終了フラグ（異常終了情報）を定義する。この異常終了フラグを外部記憶媒体４が情報として有することで、異常終了フラグがオンの場合は、前回のリストア処理時に処理が中断したことを、判断することが可能となる。
【００２９】
また、バックアップ手段５およびリストア手段６は、内部記憶手段２と外部記憶媒体４との間において、機器設定値等のデータの保存、あるいは回復の処理実行中にあっては、ホスト計算機１３から送信されるデータの登録、あるいは既に登録されているデータの削除の指示に対して、その受け付けあるいは実行処理を同時に行わないように排他制御処理が行われる。
【００３０】
また、バックアップ手段５は、外部記憶媒体４に機器設定値等のデータの他に、バックアップのＩＤ、バックアップの日時、保存する総データ容量、保存するデータの総個数、保存対象データに関するチェックサム等の付属情報の書き込みも行う。
【００３１】
また、リストア手段６は、バックアップ手段５によって書き込まれた外部記憶媒体４内の付属情報を読み取り、データの異常の有無、処理対象として適切な媒体かどうか、回復先の内部記憶手段２に十分な空き容量があるかなどを確認する。問題がある場合には、正常なデータを操作パネル９に表示し、ユーザに選択されたデータのみをリストア処理したり、同じくユーザに選択されたデータでバックアップデータを再構築し、それを外部記憶媒体４に上書き保存したり、適切な外部記憶媒体４との交換装着を促すメッセージ等をユーザに通知することを行う。
【００３２】
また、バックアップ手段５は、機器設定値等のデータを外部記憶媒体４に二重化して書き込む処理を行うことも好ましい。この場合、リストア手段６は、データの破損を検知すると、バックアップ手段５によって、外部記憶媒体４に二重化して書き込まれたデータを読み取り、そのデータから破損したデータを復元して外部記憶媒体４および内部記憶手段２に書き込みを行う（後述する第４のリストア処理）。
【００３３】
（第１のリストア処理）
図２は、印刷装置１が実行するリストア処理の一例を示すフローチャートである。図２に示すリストア処理は、リストア処理時に前回のリストア処理が正常終了していなかった場合において、正常にリストアされたデータグループ（設定値グループ）をユーザが選択的にリストアする場合の処理（第１のリストア処理という）を示している。
【００３４】
先ず、外部記憶媒体による機器設定値等のバックアップおよびリストアが可能な印刷装置１に、機器設定値等のバックアップデータが保存された外部記憶媒体４が装着され、ユーザにより機器設定値等のリストアの実行開始が要求される（Ｓ１０１）。
【００３５】
外部記憶媒体４に、前回のリストア処理における異常終了を示す異常終了フラグが立っているか否かを確認し（Ｓ１０２）、前回のリストア処理が正常に終了していると判定される場合（Ｓ１０３：ｙｅｓ）は、上述のような通常のリストア処理を実行する（Ｓ１０４）。
【００３６】
一方、異常終了フラグがオンである場合、前回のリストア処理が異常終了と判定される（Ｓ１０３：ｎｏ）。この場合、外部記憶媒体４のバックアップデータに対し、各データグループ単位で破損したデータを有するデータグループ（破損データグループという）がないかどうかを確認する（Ｓ１０５）。破損データの確認手法は、特に限られるものではないが、例えば、各データグループ単位で計算され、バックアップ時にバックアップデータと共に記憶されているチェックサム値と、リストア時に読み込んだ設定値から計算するチェックサム値を比較し、同じであるならデータ破損はないと判断する方法や、各設定値の上下限値の確認等をすることにより、破損状況を確認するものである。
【００３７】
確認の結果、破損データグループがない場合（Ｓ１０６：ｎｏ）は、通常のリストア処理を実行する（Ｓ１０４）。これに対し、破損データグループがある場合（Ｓ１０６：ｙｅｓ）は、操作パネル９またはホスト計算機１３の表示部に、破損データグループ以外の正常と判断されたデータグループ（正常データグループという）を表示する（Ｓ１０７）。
【００３８】
これに対し、ユーザは、表示された正常データグループから、リストアを行いたいデータグループを選択する（Ｓ１０８）ことにより、選択されたデータグループに対するリストア処理が実行される（Ｓ１０４）。
【００３９】
第１のリストア処理によれば、以前にリストア処理に失敗しており、外部記憶媒体４のバックアップデータの一部に破損（破損データグループ）がある場合でも、ユーザは、それ以外の正常データを選択的にリストアすることができる。よって、正常データのみのリストアで十分である場合には、再度、バックアップデータが保存されている外部記憶媒体を用意する必要がなく、リストア処理の簡略化を図ることができる。
【００４０】
（第２のリストア処理）
図３は、印刷装置１が実行するリストア処理の他の例を示すフローチャートである。図３に示すリストア処理は、リストア処理時に前回のリストア処理が正常終了していなかった場合において、ユーザに選択された正常にリストアされたデータグループからバックアップデータを再構築してリストアする場合の処理を示している（第２のリストア処理という）。なお、図３中のＳ２０１〜Ｓ２０８は、それぞれＳ１０１〜Ｓ１０８に相当し、重複する説明については省略する。
【００４１】
前回のリストア処理が異常終了と判定されると（Ｓ２０３：ｎｏ）、外部記憶媒体４のバックアップデータに対し、各データグループ単位で破損データがないかどうかを確認し（Ｓ２０５）、確認の結果、破損データグループがない場合（Ｓ２０６：ｎｏ）は、通常のリストア処理を実行する（Ｓ２０４）。
【００４２】
一方、破損データグループがある場合（Ｓ２０６：ｙｅｓ）は、正常データグループを表示する（Ｓ２０７）。次に、ユーザが、表示された正常データグループからリストアを行いたいデータグループを選択すると（Ｓ２０８）、選択された正常データグループからバックアップデータを再構築し（Ｓ２０９）、外部記憶媒体４内のバックアップデータを上書き保存した後（Ｓ２１０）、再構築したバックアップデータによりリストア処理が実行される（Ｓ２０４）。
【００４３】
第２のリストア処理によれば、以前にリストア処理に失敗しており、外部記憶媒体４のバックアップデータの一部に破損がある場合でも、ユーザがリストア対象として選択した正常データグループでバックアップデータを再構築して、外部記憶媒体に保存することにより、次回以降のリストア処理時に、バックアップデータの再構築が不要となる。また、同じ外部記憶媒体で違う機器をリストアする際に、ユーザによるリストア対象データの選択も不要となる。よって、リストア処理の簡略化を図ることができる。
【００４４】
（第３のリストア処理）
図４は、印刷装置１が実行するリストア処理の他の例を示すフローチャートである。図４に示すリストア処理は、リストア処理時に前回のリストア処理が正常終了していなかった場合において、ユーザに選択された正常にリストアされたデータグループと、破損データに相当するデータの初期設定値とからバックアップデータを再構築してリストアする場合の処理を示している（第３のリストア処理という）。なお、図４中のＳ３０１〜Ｓ３０６は、それぞれＳ１０１〜Ｓ１０６に相当し、重複する説明については省略する。
【００４５】
前回のリストア処理が異常終了と判定されると（Ｓ３０３：ｎｏ）、外部記憶媒体４のバックアップデータに対し、各データグループ単位で破損データがないかどうかを確認し（Ｓ３０５）、確認の結果、破損データグループがない場合（Ｓ３０６：ｎｏ）は、通常のリストア処理を実行する（Ｓ３０４）。
【００４６】
一方、破損データグループがある場合（Ｓ３０６：ｙｅｓ）は、リストア対象となっている機器（印刷装置１）より破損データグループに該当する設定値の初期設定値を取得（Ｓ３０７）する。この初期設定値の取得に成功した場合（Ｓ３０８：ｙｅｓ）は、再構築バックアップデータとして揮発性メモリ（ＲＡＭ１１）上に保持しておき（Ｓ３０９）、取得に失敗した場合（Ｓ３０８：ｎｏ）は、該当設定値を再構築バックアップデータの対象外とする。
【００４７】
破損データグループ全てに対し、初期設定値の取得を行った後（Ｓ３１０：ｙｅｓ）、正常データグループと、初期設定値の取得に成功し揮発性メモリ上に保持されているデータグループで設定値バックアップデータを再構築し（Ｓ３１１）、外部記憶媒体４内のバックアップデータを上書き保存した後（Ｓ３１２）、再構築したバックアップデータによりリストア処理が実行される（Ｓ３０４）。
【００４８】
なお、第３のリストア処理において、破損データグループが存在すると判別された時点（Ｓ３０６：ｙｅｓ）で、ユーザに正常データグループと、破損データグループの初期設定値によるバックアップデータの再構築を実行するか否かを確認することも好ましい。
【００４９】
第３のリストア処理によれば、以前にリストア処理に失敗しており、外部記憶媒体４のバックアップデータの一部に破損がある場合でも、正常データグループと、装置が有する破損データグループの各機器設定値の初期設定値（デフォルト値）でバックアップデータを再構築して外部記憶媒体に保存することにより、次回以降のリストア処理時に、バックアップデータの再構築が不要となり、リストア処理の簡略化を図ることができる。さらに、同じ外部記憶媒体を用いて他の装置についてリストア処理を実行する際に、破損したデータが誤って装置に書き込まれるといった不具合を防止することができる。
【００５０】
（第４のリストア処理）
図５は、印刷装置１が実行するリストア処理の他の例を示すフローチャートである。図５に示すリストア処理は、リストア処理時に前回のリストア処理が正常終了していなかった場合において、外部記憶媒体４に記憶されたバックアップデータのバックアップからバックアップデータを再構築してリストアする場合の処理を示している（第４のリストア処理という）。なお、図５中のＳ４０１〜Ｓ４０６は、それぞれＳ１０１〜Ｓ１０６に相当し、重複する説明については省略する。
【００５１】
前回のリストア処理が異常終了と判定されると（Ｓ４０３：ｎｏ）、外部記憶媒体４のバックアップデータに対し、各データグループ単位で破損データがないかどうかを確認し（Ｓ４０５）、確認の結果、破損データグループがない場合（Ｓ４０６：ｎｏ）は、通常のリストア処理を実行する（Ｓ３０４）。
【００５２】
一方、破損データグループがある場合（Ｓ４０６：ｙｅｓ）は、外部記憶媒体４にバックアップデータの二重化処理によるバックアップが存在するかどうかを確認する（Ｓ４０７）。この二重化処理によるバックアップ（二重化バックアップデータ）は、上述のように、機器設定値等を外部記憶媒体４へバックアップする際に、二重化して保存したものである。
【００５３】
二重化処理によるバックップが存在する場合（Ｓ４０７：ｙｅｓ）は、当該二重化処理によるバックアップを用いて、バックアップデータを復元する（Ｓ４０８）。一方、二重化によるバックアップが存在しない場合（Ｓ４０７：ｎｏ）は、第２、または第３のリストア処理と同様に、バックアップデータの再構築を行う（Ｓ４０９）。
【００５４】
このようにして、復元、または再構築を行ったバックアップデータを外部記憶媒体４に保存した後（Ｓ４１０）、リストア処理を実行する（Ｓ４０４）。
【００５５】
第４のリストア処理によれば、以前にリストア処理に失敗しており、外部記憶媒体４のバックアップデータの一部に破損がある場合でも、バックアップデータのバックアップ（二重化処理によるバックアップ）により、破損したバックアップデータを復元することにより、ユーザは、再びバックアップデータが保存された外部記憶媒体を用意する必要がなくなり、リストア処理の簡略化を図ることができる。
【００５６】
尚、上述の実施形態は本発明の好適な実施の例ではあるがこれに限定されるものではなく、本発明の要旨を逸脱しない範囲において種々変形実施可能である。
【符号の説明】
【００５７】
１  印刷装置（画像形成装置）
２  内部記憶手段
３  外部記憶媒体ＩＦ部
４  外部記憶媒体
５  バックアップ手段
６  リストア手段
７  コントローラ部
８  ホストＩＦ部
９  操作パネル
１０  ＲＯＭ
１１  ＲＡＭ
１２  印刷エンジン
１３  ホスト計算機
【先行技術文献】
【特許文献】
【００５８】
【特許文献１】特開２００７−１２８４９３号公報
【図１】
2012113382.tif 000003
【図２】
2012113382.tif 000004
【図３】
2012113382.tif 000005
【図４】
2012113382.tif 000006
【図５】
2012113382.tif 000007